(57)【特許請求の範囲】
【請求項１】
装置本体と、
互いに間隔を隔てて並列配置される複数の感光体を保持し、前記装置本体内に装着される装着位置と、前記装置本体から引き出される引出位置とに移動可能な第１保持部材と、
前記第１保持部材の上方において、各前記感光体に対向配置されるエンドレスベルトと、
前記エンドレスベルトの下方に設けられ、前記感光体を露光するように前記感光体に近接される近接位置と、前記感光体から退避される退避位置とに移動可能な複数の露光ユニットと
前記第１保持部材の下方において前記第１保持部材に対向するように前記装置本体に着脱可能に設けられ、現像剤像が転写される被転写部材を供給する供給トレイと
を備え、
前記露光ユニットは、前記供給トレイが前記装置本体から離脱されることにより形成される空間に、前記第１保持部材に干渉しないように退避されることを特徴とする、画像形成装置。
【請求項２】
前記装置本体には、前記第１保持部材を通過させる本体開口部が形成されており、
前記装置本体は、
前記本体開口部を開放する開位置と、前記本体開口部を閉鎖する閉位置とに移動可能なカバー部材と、
前記カバー部材の前記閉位置から前記開位置への移動に連動して、各前記露光ユニットを前記近接位置から前記退避位置へ移動させ、前記カバー部材の前記開位置から前記閉位置への移動に連動して、各前記露光ユニットを前記退避位置から前記近接位置へ移動させる連動機構と
を備えていることを特徴とする、請求項１に記載の画像形成装置。
【請求項３】
前記供給トレイは、前記装置本体に装着されているときに、前記カバー部材と干渉して、前記カバー部材の前記開位置への移動を規制することを特徴とする、請求項２に記載の画像形成装置。
【請求項４】
各前記感光体に対向される複数の現像剤担持体を保持し、前記感光体に近接される近接位置と、前記感光体から退避される退避位置とに移動可能な第２保持部材を備え、
前記露光ユニットは、前記第２保持部材に設けられていることを特徴とする、請求項１ないし３のいずれか一項に記載の画像形成装置。
【請求項５】
前記エンドレスベルトに対して前記感光体と同じ方向から対向され、前記エンドレスベルトをクリーニングするクリーニングユニットを備えていることを特徴とする、請求項４に記載の画像形成装置。
【請求項６】
前記クリーニングユニットは、廃トナーを収容する廃トナー収容部を備え、
前記廃トナー収容部は、前記第２保持部材に設けられていることを特徴とする、請求項４または５に記載の画像形成装置。
【請求項７】
前記供給トレイ上の前記被転写部材を供給する供給部材を備え、
前記供給部材は、前記第１保持部材が前記装着位置に配置されている状態において、前記第１保持部材のスライド方向に投影したときに、前記第１保持部材と重なるように配置されていることを特徴とする、請求項１ないし３のいずれか一項に記載の画像形成装置。
【発明の詳細な説明】
【技術分野】
【０００１】
本発明は、電子写真方式が採用される画像形成装置に関する。
【背景技術】
【０００２】
従来、電子写真方式のカラープリンタとして、イエロー、マゼンタ、シアン、ブラックの各色に対応して設けられる４つの感光ドラムと、各感光ドラムを露光する４つのＬＥＤユニットとを備えるＬＥＤ露光方式のカラープリンタが知られている。
【０００３】
このようなＬＥＤ露光方式のカラープリンタでは、感光ドラムをＬＥＤユニットによって露光するために、ＬＥＤユニットを感光ドラムの近傍に配置する必要がある。
【０００４】
そのため、感光ドラムを交換するときには、感光ドラムに近接されているＬＥＤユニットを一旦、退避させる必要があり、ＬＥＤユニットを近接または退避させる機構が必要となる。
【０００５】
このようなカラープリンタとして、例えば、感光ドラムを有する複数のプロセスユニットと、感光ドラムを露光する複数のＬＥＤユニットとを備え、各ＬＥＤユニットを、本体ケーシングの上面に設けられるトップカバーに連結し、トップカバーの開閉に連動して、感光ドラムを露光する露光位置と、感光ドラムから上方に退避される退避位置とに移動させるカラープリンタが提案されている（たとえば、下記特許文献１参照。）。
【０００６】
また、例えば、装置本体の上にフラットベッドスキャナを有し、複数の感光ドラムを有するドラムユニットと、各感光ドラムを露光する複数のＬＥＤユニットとを備え、各ＬＥＤユニットを、装置本体の前面に設けられるフロントカバーの開閉に連動して、感光ドラムに近接、または、感光ドラムに対して上方に退避させるプリンタが提案されている（たとえば、下記特許文献２参照。）。
【先行技術文献】
【特許文献】
【０００７】
【特許文献１】特開２００８−２９６３７９号公報
【特許文献２】特開２００９−２６５４４２号公報
【発明の概要】
【発明が解決しようとする課題】
【０００８】
しかるに、上記した特許文献１に記載のカラープリンタでは、各ＬＥＤユニットは、トップカバーの開閉に連動されている。
【０００９】
そのため、本体ケーシングの上方に、別途、トップカバーを開閉させるための大きなスペースを作る必要があり、カラープリンタを載置するスペースの省スペース化を図ることが困難な場合がある。
【００１０】
また、上記した特許文献２に記載のプリンタでは、フラットベッドスキャナが装置本体の上方に設けられているため、各ＬＥＤユニットは、本体ケーシングの前面に設けられるフロントカバーの開閉に連動されている。
【００１１】
この場合においても、各ＬＥＤユニットは、装置本体内において、感光ドラムに対して上方に退避される。
【００１２】
そのため、装置本体内の上方に、各ＬＥＤユニットを退避させるためのスペースが必要となり、装置本体の小型化、ひいては、プリンタを載置するスペースの省スペース化を図ることが困難な場合がある。
【００１３】
そこで、本発明の目的は、装置本体を小型化することができ、載置するためのスペースの省スペース化を図ることができる画像形成装置を提供することにある。
【課題を解決するための手段】
【００１４】
上記した課題を解決するため、本発明は、画像形成装置であって、装置本体と、互いに間隔を隔てて並列配置される複数の感光体を保持し、前記装置本体内に装着される装着位置と、前記装置本体から引き出される引出位置とに移動可能な第１保持部材と、前記第１保持部材の上方において、各前記感光体に対向配置されるエンドレスベルトと、前記エンドレスベルトの下方に設けられ、前記感光体を露光するように前記感光体に近接される近接位置と、前記感光体から退避される退避位置とに移動可能な複数の露光ユニットと、前記第１保持部材の下方において前記第１保持部材に対向するように前記装置本体に着脱可能に設けられ、現像剤像が転写される被転写部材を供給する供給トレイとを備え、前記露光ユニットは、前記供給トレイが前記装置本体から離脱されることにより形成される空間に、前記第１保持部材に干渉しないように退避されることを特徴としている。
【発明の効果】
【００１５】
この発明によれば、露光ユニットは、供給トレイが装置本体から離脱されることにより形成される空間に、各感光体を保持する第１保持部材に干渉しないように退避される。
【００１６】
そのため、別途、露光ユニットを退避させるためのスペースを用意することなく、供給トレイが装置本体から離脱されることにより形成される空間を利用して、露光ユニットを各感光体から退避させることができる。
【００１７】
その結果、画像形成装置を小型化することができ、ひいては、画像形成装置を載置するためのスペースの省スペース化を図ることができる。
【図面の簡単な説明】
【００１８】
【図１】本発明の画像形成装置の一例としてのカラープリンタの第１実施形態を示す断面図である。
【図２】図１に示すカラープリンタのＡ−Ａ断面図である。
【図３】図１に示すフロントカバーとＬＥＤユニットとの連動を説明するための説明図であって、フロントカバーが閉位置に配置され、ＬＥＤユニットが近接位置に配置されている状態を示す。
【図４】図１に示すフロントカバーとＬＥＤユニットとの連動を説明するための説明図であって、フロントカバーが開位置に配置され、ＬＥＤユニットが退避位置に配置されている状態を示す。
【図５】図１に示すプロセスカートリッジの本体ケーシングに対する着脱を説明するための説明図であって、本体ケーシングから給紙トレイを離脱させた状態を示す。
【図６】図５に続いて、プロセスカートリッジの本体ケーシングに対する着脱を説明するための説明図であって、フロントカバーを開位置に配置して、ＬＥＤユニットを退避位置に配置させた状態を示す。
【図７】図６に続いて、プロセスカートリッジの本体ケーシングに対する着脱を説明するための説明図であって、プロセスユニットを引出位置に引き出した状態を示す。
【図８】カラープリンタの第２実施形態を示す断面図である。
【図９】図８に示すフロントカバーと支持部材との連動を説明するための説明図であって、フロントカバーが閉位置に配置され、支持部材が第１位置に配置されている状態を示す。
【図１０】図８に示すフロントカバーと支持部材との連動を説明するための説明図であって、フロントカバーが開位置に配置され、支持部材が第２位置に配置されている状態を示す。
【図１１】図８に示すドラムドロワおよび現像ドロワの本体ケーシングに対する着脱を説明するための説明図であって、本体ケーシングから給紙トレイを離脱させた後、フロントカバーを開位置に配置して、現像ドロワを退避位置に配置させた状態を示す。
【図１２】図１１に続いて、現像ドロワの本体ケーシングに対する着脱を説明するための説明図であって、現像ドロワを引き出した状態を示す。
【図１３】図１１に続いて、ドラムドロワの本体ケーシングに対する着脱を説明するための説明図であって、ドラムドロワを引き出した状態を示す。
【発明を実施するための形態】
【００１９】
１．カラープリンタの全体構成
図１に示すように、画像形成装置の一例としてのカラープリンタ１は、横置きタイプの中間転写型カラープリンタである。
【００２０】
また、カラープリンタ１は、装置本体の一例としての本体ケーシング２と、本体ケーシング２の上に設けられ、原稿の画像情報を読み取るフラットベッドスキャナ３とを一体的に備える複合機である。
【００２１】
カラープリンタ１は、本体ケーシング２内において、被転写部材の一例としての用紙Ｐを給紙するための給紙部４と、給紙された用紙Ｐに画像を形成するための画像形成部５とを備えている。
（１）本体ケーシング
本体ケーシング２は、給紙部４および画像形成部５を収容する側面視略矩形状のボックス形状に形成されており、その一方側壁には、本体開口部６が形成されており、カバー部材の一例としてのフロントカバー７が、その下端部を支点として、本体開口部６を閉鎖する閉位置と、本体開口部６を開放する開位置とに揺動（移動）可能に設けられている。
【００２２】
なお、以下の説明において、フロントカバー７が設けられる側（図１における紙面左側）を前側とし、その反対側（図１における紙面右側）を後側とする。また、カラープリンタ１を前側から見たときを左右の基準とする。すなわち、図１の紙面手前側が右側であり、紙面奥側が左側である。
（２）給紙部
給紙部４は、用紙Ｐを収容する供給トレイの一例としての給紙トレイ８を備えている。
【００２３】
給紙トレイ８は、本体ケーシング２内の底部に着脱自在に装着されている。また、給紙トレイ８は、用紙Ｐの後端部を昇降させるリフト部材９を備えている。
【００２４】
リフト部材９は、前後に延びる略平板形状に形成され、給紙トレイ８の後側半分の底面に、その前端部を支点として揺動可能に設けられている。また、リフト部材９の後端部は、ばねなどの付勢部材（図示せず）により、常には、上側に向かって付勢されている。
【００２５】
そして、リフト部材９は、給紙トレイ８が本体ケーシング２に装着されているときには、付勢部材（図示せず）の付勢力によって、後側へ向かうに従って上側へ傾斜するように起立されている（図１参照）。リフト部材９が起立されているときには、用紙Ｐの後端部は、ピックアップローラ１０に向かって上昇されてリフト部材９とピックアップローラ１０との間に挟持されている。
【００２６】
なお、リフト部材９は、給紙トレイ８が本体ケーシング２から離脱されるときには、付勢部材（図示せず）の付勢力に抗して、給紙トレイ８の底面に沿うように傾倒される（図５参照。）。リフト部材９が傾倒されると、用紙Ｐの後端部は、給紙トレイ８内に収容される。
【００２７】
また、給紙部４には、給紙トレイ８の後端部上側において、リフト部材９の後端部の上側に対向配置される供給部材の一例としてのピックアップローラ１０と、ピックアップローラ１０の後側に配置される給紙ローラ１１と、給紙ローラ１１の下側に対向配置される給紙パッド１２と、給紙ローラ１１に後側から接触される上下１対のピンチローラ１３と、給紙ローラ１１の上側に配置され、互いに前後方向に対向される１対のレジストローラ１４とが設けられている。
【００２８】
そして、給紙トレイ８上の用紙Ｐは、ピックアップローラ１０の回転により、給紙ローラ１１と給紙パッド１２との間に送られ、給紙ローラ１１の回転により１枚ずつ捌かれる。その後、捌かれた用紙Ｐは、給紙ローラ１１の回転により、給紙ローラ１１と各ピンチローラ１３との間を順次通過するように、上側の両レジストローラ１４間に向けて給紙され、レジストローラ１４の回転により、所定のタイミングで、画像形成部５（中間転写ベルト３０（後述）と二次転写ローラ２７（後述）との間）に供給される。
（３）画像形成部
画像形成部５は、給紙部４の上側に配置されており、第１保持部材の一例としてのプロセスユニット１５、各色に対応する４つの露光ユニットの一例としてのＬＥＤユニット１６、転写ユニット１７および定着ユニット１８を備えている。
（３−１）プロセスユニット
プロセスユニット１５は、前後方向に投影したときにピックアップローラ１０と重なるように、ピックアップローラ１０の前側において、給紙トレイ８に上側から対向配置され、各色に対応する４つのプロセスカートリッジ１９を保持している。また、プロセスユニット１５は、本体ケーシング２内に装着される装着位置と、本体ケーシング２から引き出される引出位置とに、前後方向に沿ってスライド可能に設けられている。
【００２９】
各プロセスカートリッジ１９は、前後方向に互いに間隔を隔てて並列配置されている。具体的には、前側から後側に向かって、ブラックプロセスカートリッジ１９Ｋ、イエロープロセスカートリッジ１９Ｙ、マゼンタプロセスカートリッジ１９Ｍおよびシアンプロセスカートリッジ１９Ｃが、順次配置されている。
【００３０】
また、各プロセスカートリッジ１９は、感光ドラム２０、スコロトロン型帯電器２１および現像ユニット２２を備えている。
【００３１】
感光ドラム２０は、左右方向に長手の円筒形状に形成されており、左右に沿って設けられている。
【００３２】
スコロトロン型帯電器２１は、対応する感光ドラム２０の後下側に、感光ドラム２０と間隔を隔てて対向配置されている。
【００３３】
各現像ユニット２２は、対応する感光ドラム２０の前下側において、前後方向に互いに間隔を隔てて並列配置されている。また、各現像ユニット２２は、現像剤担持体の一例としての現像ローラ２３を備えている。
【００３４】
現像ローラ２３は、現像ユニット２２の上端において、上側（後上側）から露出されるように回転可能に支持されており、感光ドラム２０に対して下側から接触されている。
【００３５】
なお、現像ユニット２２は、現像ローラ２３にトナーを供給する供給ローラ２４、現像ローラ２３に供給されたトナーの厚みを規制する層厚規制ブレード２５を備えている。また、各現像ユニット２２は、供給ローラ２４の下側において、各色に対応する現像剤の一例としてのトナーを収容するトナー収容部３９を備えている。トナー収容部３９は、左右方向に延びる２つの円筒が前後方向に連結された２連筒形状に形成されている。
（３−２）ＬＥＤユニット
各ＬＥＤユニット１６は、対応する現像ユニット２２の後側において、対応する感光ドラム２０に下方から対向するように設けられている。ＬＥＤユニット１６は、所定の画像データに基づいて、対応する感光ドラム２０の表面を露光する。
（３−３）転写ユニット
転写ユニット１７は、ベルトユニット２６と二次転写ローラ２７とを備えている。
【００３６】
ベルトユニット２６は、プロセスユニット１５の上側において、各感光ドラム２０に上側から対向するように、前後方向に沿って配置されている。
【００３７】
ベルトユニット２６は、駆動ローラ２８、従動ローラ２９、エンドレスベルトの一例としての中間転写ベルト３０、および、４つの一次転写ローラ３１を備えている。
【００３８】
駆動ローラ２８および従動ローラ２９は、前後方向に間隔を隔てて対向配置されている。
【００３９】
中間転写ベルト３０は、その下側部分が各感光ドラム２０に接触されるように、駆動ローラ２８および従動ローラ２９の周りに掛け渡されている。また、中間転写ベルト３０は、駆動ローラ２８の駆動により、各感光ドラム２０と接触する下側部分が前側から後側に向かって移動するように、周回移動されている。
【００４０】
各一次転写ローラ３１は、各感光ドラム２０と、それぞれ中間転写ベルト３０の下側部分を挟んで対向するように、設けられている。
【００４１】
二次転写ローラ２７は、ベルトユニット２６の駆動ローラ２８と、中間転写ベルト３０を挟んで対向するように、ベルトユニット２６の後方に設けられている。
（３−４）定着ユニット
定着ユニット１８は、二次転写ローラ２７の上側に配置され、加熱ローラ３７、および、加熱ローラ３７に対向する加圧ローラ３８を備えている。
（３−５）画像形成動作
（３−５−１）現像動作
現像ユニット２２内のトナーは、供給ローラ２４に供給され、さらに、現像ローラ２３に供給される。
【００４２】
現像ローラ２３に供給されたトナーは、現像ローラ２３の回転に伴って、層厚規制ブレード２５によって厚さが規制され、一定厚さの薄層として現像ローラ２３の表面に担持される。また、現像ローラ２３に供給されたトナーは、層厚規制ブレード２５と現像ローラ２３との間で正極性に摩擦帯電される。
【００４３】
一方、感光ドラム２０の表面は、感光ドラム２０の回転に伴って、スコロトロン型帯電器２１により一様に正帯電された後、ＬＥＤユニット１６により露光される。これにより、用紙Ｐに形成すべき画像に対応した静電潜像が感光ドラム２０の表面に形成される。
【００４４】
感光ドラム２０がさらに回転すると、現像ローラ２３の表面に担持され、かつ、正帯電されているトナーが、感光ドラム２０の表面に形成されている静電潜像に供給される。これにより、感光ドラム２０の静電潜像は可視像化され、感光ドラム２０の表面には、反転現像によるトナー像が担持される。
（３−５−２）転写・定着動作
感光ドラム２０の表面に反転現像により担持されたトナー像は、前側から後側へ移動される中間転写ベルト３０の下側部分に順次、一次転写される。これにより、中間転写ベルト３０にカラー画像が形成される。
【００４５】
中間転写ベルト３０に形成されたカラー画像は、中間転写ベルト３０が二次転写ローラ２７との対向位置を通過する間に、給紙部４から供給される用紙Ｐに、二次転写される。
【００４６】
そして、用紙Ｐに転写されたカラー画像は、定着ユニット１８において、用紙Ｐが加熱ローラ３７と加圧ローラ３８との間を通過する間に、加熱および加圧されることによって用紙Ｐに熱定着される。
（４）排紙
定着ユニット１８においてトナー像を定着された用紙Ｐは、各排紙ローラ３２によって、本体ケーシング２の上面に形成される排紙トレイ３３上に排紙される。
（５）フラットベッドスキャナ
フラットベッドスキャナ３は、排紙トレイ３３の上方に設けられている。フラットベッドスキャナ３では、原稿が押えカバー３４とガラス面３５との間に配置された後、ＣＣＤセンサ３６がスライドすることにより、原稿の画像情報が読み取られる。
【００４７】
そして、読み取られた原稿の画像情報に基づいて、画像形成部５において、上記したように、用紙Ｐに画像を形成することができる。
２．本体ケーシング
本体ケーシング２は、カラープリンタ１の外形を構成する外側ケーシング４１と、外側ケーシング４１の内側に設けられる内側ケーシング４２（図２参照）とを備えている。
（１）外側ケーシングの詳細
外側ケーシング４１は、略ボックス形状に形成されており、前端部において、フロントカバー７を備えている。
【００４８】
フロントカバー７は、その下端部において、外側ケーシング４１の底壁に回動可能に連結されている。また、フロントカバー７の下端部には、フロントカバー７が閉位置に配置されているときに給紙トレイ８が挿通される開口４３が形成されている。
（２）内側ケーシングの詳細
内側ケーシング４２は、図２および図３に示すように、前後方向に延びる略角筒形状に形成されている。また、内側ケーシング４２は、プロセスユニット１５、ベルトユニット２６および給紙トレイ８を収容可能な上下方向長さおよび左右方向長さを有し、上側および左右両側において外側ケーシング４１と間隔を隔てるように、外側ケーシング４１内に収容されている。
【００４９】
また、内側ケーシング４２には、ベルトユニット２６を収容するベルト収容部４４、プロセスユニット１５を支持するプロセス支持部４５、ＬＥＤユニット１６を支持するＬＥＤ支持部４６が設けられている。
（２−１）ベルト収容部
ベルト収容部４４は、内側ケーシング４２の上端部に設けられている。ベルト収容部４４には、各感光ドラム２０をベルトユニット２６に対して位置決めする１対のドラム位置決め部材４８が設けられている。
【００５０】
両ドラム位置決め部材４８は、前後方向に延びる略平板形状に形成されている。また、両ドラム位置決め部材４８は、各感光ドラム２０の通紙領域（用紙Ｐが接触する領域）よりも左右方向外側において、各感光ドラム２０に対向するように、ベルトユニット２６を挟んで左右方向に互いに間隔を隔てて配置され、その上端部において、内側ケーシング４２の上壁に固定されている。
【００５１】
また、各ドラム位置決め部材４８の下端部には、各感光ドラム２０に対応するように、４つのドラム位置決め溝４９（図３参照）が形成されている。
【００５２】
各ドラム位置決め溝４９は、ドラム位置決め部材４８の下端縁から上側へ向かって、下側へ開放される側面視略Ｕ字形状に切り欠かれ、前後方向に互いに間隔を隔てて並列配置されている。各ドラム位置決め溝４９は、感光ドラム２０の左右方向両端部の上端部を受け入れる。
（２−２）プロセス支持部
プロセス支持部４５は、内側ケーシング４２の上下方向略中央において、ベルト収容部４４の下側に連続して設けられている。プロセス支持部４５には、その左右両側壁にそれぞれ、プロセスユニット１５の後端部を案内する第１ガイド溝５２と、プロセスユニット１５の前端部を案内する第２ガイド溝５４（図３参照）とが設けられている。
【００５３】
第１ガイド溝５２は、プロセスユニット１５の後側ころ８５（後述）を受け入れ可能な溝幅（上下方向長さ）で、プロセス支持部４５の前後方向ほぼ全幅にわたって、前後方向に延びる略直線形状に形成されている。また、第１ガイド溝５２は、後端部の溝幅が上側に向かって拡がるように形成されている。そして、第１ガイド溝５２の後端部内には、上側へ向かって膨出する板ばね５３（図３参照）が設けられている。
【００５４】
板ばね５３は、前後方向に延びる金属製の屈曲板であり、その前端部において、第１ガイド溝５２の下壁に固定されている。詳しくは、板ばね５３は、その前端部から後上側に延び、後側へ屈曲された後、前後方向に延びるように形成されている。
【００５５】
第２ガイド溝５４は、第１ガイド溝５２の前端部の下側において、プロセスユニット１５の前側ころ８４（後述）を受け入れ可能な溝幅（上下方向長さ）で、前後方向に延びる略直線形状に形成されている。また、第２ガイド溝５４は、後端部の溝幅が上側に向かって拡がるように形成されている。そして、第２ガイド溝５４の後端部内には、上側へ向かって膨出する板ばね５５（図３参照）が設けられている。
【００５６】
板ばね５５は、第１ガイド溝５２内の板ばね５３と同様の形状に形成されており、その前端部において、第２ガイド溝５４の下壁に固定されている。
（２−３）ＬＥＤ支持部
ＬＥＤ支持部４６は、内側ケーシング４２の下端部において、プロセス支持部４５の下側に連続して設けられている。
【００５７】
ＬＥＤ支持部４６には、ＬＥＤユニット１６の支持アーム１０１（後述）を支持する支持ボス５６が、その左右両側壁にそれぞれ４つ設けられている。また、ＬＥＤ支持部４６には、ＬＥＤユニット１６の支持軸１０６（後述）を案内するＬＥＤガイド溝５７が、その左右両側壁にそれぞれ４つ形成されている。
【００５８】
各支持ボス５６は、内側ケーシング４２の左右方向内面から左右方向内側へ突出する略円柱形状に形成され、前後方向に互いに間隔を隔てて並列配置されている。
【００５９】
各ＬＥＤガイド溝５７は、各支持ボス５６の後側から前下側へ延びるように、対応する支持ボス５６と中心を共有する円弧形状に形成されている。また、左右方向に投影したときに、各ＬＥＤガイド溝５７の下端縁は、給紙トレイ８と重なるように配置され（図５参照）、各ＬＥＤガイド溝５７の上端縁は、ＬＥＤ挿入開口８３（後述）内に配置されている（図６参照）。
３．給紙トレイ
給紙トレイ８は、図１および図２に示すように、有底略矩形枠形状に形成され、内側ケーシング４２の下端部内（すなわち、ＬＥＤ支持部４６の下端部内）に着脱可能に装着されている。給紙トレイ８の前端部には、フロントカバー７の開口４３の上側周縁部に、前側から対向される干渉部７１が設けられている。
【００６０】
干渉部７１は、給紙トレイ８の前端部の上端縁から上方へ向かって突出するように、左右方向に延びる突条として形成されている。
４．プロセスユニット
（１）プロセスフレーム
プロセスユニット１５は、各プロセスカートリッジ１９を一体的に保持するプロセスフレーム８１を備えている。
【００６１】
プロセスフレーム８１は、有底略矩形枠形状に形成されている。プロセスフレーム８１には、各プロセスカートリッジ１９の着脱を案内する４つのカートリッジガイド溝８２（図２参照）と、各ＬＥＤユニット１６が配置される４つのＬＥＤ挿入開口８３とが形成されている。
【００６２】
各カートリッジガイド溝８２は、プロセスフレーム８１の左右両側壁の内面において、上下方向に延び、感光ドラム２０の回転軸９２（後述）を受け入れ可能な溝幅を有する凹溝として形成されている。
【００６３】
各ＬＥＤ挿入開口８３は、カートリッジガイド溝８２の下側において、プロセスフレーム８１の下端縁から上側に向かうように、プロセスフレーム８１の左右方向全幅にわたって切り欠き形成されている。詳しくは、各ＬＥＤ挿入開口８３は、プロセスフレーム８１の底壁の左右方向全幅にわたって形成される底部開口８６と、底部開口８６に連続するようにプロセスフレーム８１の左右両側壁に形成される側部開口８７とからなる。
【００６４】
また、プロセスフレーム８１は、その左右両側壁の前端部外側に回転可能に設けられる前側ころ８４と、その左右両側壁の後端部外側に回転可能に設けられる後側ころ８５とを備えている。
（２）プロセスカートリッジ
各プロセスカートリッジ１９は、左右方向に間隔を隔てて対向配置される１対の側板９１を備え、両側板９１間において、感光ドラム２０、スコロトロン型帯電器２１および現像ユニット２２を備えている。
【００６５】
なお、感光ドラム２０の回転軸９２は、両側板９１を内側から貫通するように、左右方向両端部において、両側板９１に回転可能に支持されている。また、回転軸９２の左右方向両端部は、両側板９１の左右方向外面よりも左右方向外側へ突出されている。
【００６６】
また、ブラックプロセスカートリッジ１９Ｋには、現像ユニット２２の前側において、クリーニングユニットの一例としてのベルトクリーニングユニット９３が一体的に保持されている。
【００６７】
ベルトクリーニングユニット９３は、廃トナー収容部９４と、掻き取りローラ９６と、掻き取りブレード９８と、ベルトクリーニングローラ９５とを備えている。
【００６８】
廃トナー収容部９４は、上端部に開口９７を有する略ボックス形状に形成されている。
【００６９】
掻き取りローラ９６は、廃トナー収容部９４の開口９７の上側において、開口９７に対向配置されている。
【００７０】
掻き取りブレード９８は、前後方向に延びる略平板形状に形成され、その後端部（遊端部）が掻き取りローラ９６に下側から接触されるように、その前端部（基端部）が、開口９７の前側周縁部において、廃トナー収容部９４に固定されている。
【００７１】
ベルトクリーニングローラ９５は、掻き取りローラ９６に上側から接触されるように、ベルトクリーニングユニット９３の上端部において、回転可能に支持されている。
【００７２】
そして、ベルトクリーニングユニット９３は、ベルトクリーニングローラ９５が中間転写ベルト３０の下側部分に下側から接触されるように配置されている。ベルトクリーニングユニット９３は、中間転写ベルト３０の表面に残存したトナーなどを、ベルトクリーニングローラ９５によってクリーニングする。ベルトクリーニングローラ９５に保持されたトナーは、一旦掻き取りローラ９６に保持された後、掻き取りブレード９８で掻き取られることにより、廃トナー収容部９４内に収容される。
５．ＬＥＤユニット
各ＬＥＤユニット１６は、図２および図３に示すように、ＬＥＤ支持部４６内において、感光ドラム２０から退避するように下方に垂下する退避位置（図４参照）と、感光ドラム２０に近接するように前後方向に延びる近接位置（図３参照）とに揺動可能に支持されている。なお、以下のＬＥＤユニット１６の説明において、ＬＥＤユニット１６が近接位置に配置されている状態を上下前後の基準とする。
【００７３】
各ＬＥＤユニット１６は、左右一対の支持アーム１０１と、両支持アーム１０１間に架設されるＬＥＤアレイ支持部材１０４と、ＬＥＤアレイ支持部材１０４に支持されるＬＥＤアレイ１０２とを備えている。
【００７４】
両支持アーム１０１は、前後方向に延びる側面視略Ｌ字形の平板形状に形成されている。また、支持アーム１０１は、支持ボス５６に連結されるアーム部１０９と、ＬＥＤアレイ支持部材１０４の左右方向端部を支持する支持部１１０とを一体的に備えている。
【００７５】
アーム部１０９は、前後方向に延びる略杆形状に形成されている。また、アーム部１０９の前端部には、支持ボス５６を受け入れ可能な直径を有する側面視略円形状の嵌合穴１００が貫通形成されている。
【００７６】
支持部１１０は、アーム部１０９の後端部から上側へ延びる略杆形状に形成されている。
【００７７】
ＬＥＤアレイ支持部材１０４は、支持軸１０６と、ＬＥＤアレイ収容部１０３とを備えている。
【００７８】
支持軸１０６は、左右方向に延びる略円柱形状に形成されている。支持軸１０６の左右方向長さは、内側ケーシング４２の左右方向長さよりも長く形成されている。また、支持軸１０６は、その左右方向端部が支持アーム１０１の左右方向両端面よりも左右方向外側へ突出するように、支持アーム１０１のアーム部１０９の後端部に挿通されている。
【００７９】
ＬＥＤアレイ収容部１０３は、左右方向に長手の有底略矩形枠形状に形成され、その底壁において支持軸１０６に連結されるとともに、その左右両側壁において両支持アーム１０１の支持部１１０間に架設されている。ＬＥＤアレイ収容部１０３の前後方向および左右方向の内寸は、それぞれ、ＬＥＤアレイ１０２の前後方向および左右方向の外寸とほぼ同じ（わずかに長い）である。
【００８０】
ＬＥＤアレイ１０２は、左右方向に延びる略杆形状に形成され、左右方向に並列配置される多数のＬＥＤを一体的に保持している。ＬＥＤアレイ１０２の左右方向長さは、感光ドラム２０の左右方向長さよりも短く、感光ドラム２０の通紙領域の左右方向長さよりも長い。
【００８１】
また、ＬＥＤアレイ１０２の左右方向両端部には、ＬＥＤアレイ１０２を感光ドラム２０に対して位置決めするＬＥＤ位置決め部材１０５が設けられている。
【００８２】
ＬＥＤ位置決め部材１０５は、側面視略矩形平板形状に形成され、ＬＥＤアレイ１０２の左右方向両端縁において、上側に向かってわずかに突出するように設けられている。ＬＥＤ位置決め部材１０５は、感光ドラム２０に下側から当接されている。これにより、ＬＥＤ位置決め部材１０５は、ＬＥＤアレイ１０２を、感光ドラム２０に対して間隔（ＬＥＤ位置決め部材１０５の突出長さに相当する間隔）を隔てて対向するように位置決めしている。なお、ＬＥＤ位置決め部材１０５の形状は、特に限定されず、例えば、略円板形状のころであってもよい。
【００８３】
そして、ＬＥＤアレイ１０２は、その下端部において、ＬＥＤアレイ収容部１０３の上端部に相対移動可能に収容され、左右１対の圧縮ばね１０８により、ＬＥＤアレイ収容部１０３の底壁に弾性的に支持されている。
【００８４】
詳しくは、両圧縮ばね１０８は、一端がＬＥＤアレイ収容部１０３の底壁の左右方向端部に連結され、他端がＬＥＤアレイ１０２の左右方向端部に連結されている。これにより、ＬＥＤアレイ１０２は、ＬＥＤアレイ収容部１０３の底壁に対して、圧縮ばね１０８を介して弾性的に支持されている。
【００８５】
そして、各ＬＥＤユニット１６は、両支持アーム１０１の嵌合穴１００が、内側ケーシング４２の支持ボス５６に外嵌されるとともに、支持軸１０６の左右方向両端部が、内側ケーシング４２のＬＥＤガイド溝５７に挿通されることにより、内側ケーシング４２に対して揺動可能に支持されている。なお、支持軸１０６の左右方向端縁は、内側ケーシング４２とガイド部材６４（後述）との間に配置されている。
【００８６】
そして、各ＬＥＤユニット１６は、常には、その自重により、下方に付勢されている。
【００８７】
ＬＥＤユニット１６が近接位置に配置されているときには、支持軸１０６は、ＬＥＤガイド溝５７の上端部に配置され（図３参照）、また、ＬＥＤユニット１６が退避位置に配置されているときには、支持軸１０６は、ＬＥＤガイド溝５７の下端部に配置される（図４参照）。
６．連動機構
（１）連動機構の構成
本体ケーシング２内には、内側ケーシング４２の左右両側において、外側ケーシング４１と内側ケーシング４２との間に、フロントカバー７と各ＬＥＤユニット１６とを連動させる左右１対の連動機構６１が設けられている。
【００８８】
各連動機構６１は、各ＬＥＤユニット１６を連結する第１連結部材６２と、第１連結部材６２とフロントカバー７とを連結する第２連結部材６３（図３参照）と、第１連結部材６２の移動を案内するガイド部材６４とを備えている。
【００８９】
第１連結部材６２は、前後方向に延びる略杆形状に形成されている。第１連結部材６２には、各ＬＥＤユニット１６の支持軸１０６が挿通される４つの挿通穴６５と、ガイド部材６４の連結部材ガイド溝６８（後述）に嵌合される前後１対のガイドボス６６とが形成されている。
【００９０】
各挿通穴６５は、前後方向に延びる長穴として形成され、互いに前後方向に間隔を隔てて並列配置されている。各挿通穴６５は、ＬＥＤユニット１６の支持軸１０６を受け入れ可能な上下方向長さに形成されている。
【００９１】
両ガイドボス６６は、第１連結部材６２の左右方向外面から左右方向外側へ延びる略円柱形状に形成されており、第１連結部材６２の前端部と後端部とに１つずつ設けられている。
【００９２】
第２連結部材６３は、前後方向に延びる略杆形状に形成され、前端部において、フロントカバー７に揺動可能に連結されている。また、第２連結部材６３の後端部には、第１連結部材６２の前側のガイドボス６６に連結される連結穴６７が形成されている。
【００９３】
連結穴６７は、前後方向に延びる長穴として形成されている。連結穴６７は、第１連結部材６２のガイドボス６６を受け入れ可能な上下方向長さに形成されている。
【００９４】
ガイド部材６４は、前後方向に延び、上下両端部が左右方向内側へ屈曲された略平板形状に形成され、ＬＥＤ支持部４６を左右方向外側から被覆するように設けられている。これにより、内側ケーシング４２の左右方向側壁とガイド部材６４とによって、ＬＥＤ支持部４６の左右両側に正面視略矩形状の空間が画成されている。
【００９５】
また、ガイド部材６４には、第１連結部材６２の両ガイドボス６６を案内する前後１対の連結部材ガイド溝６８が形成されている。
【００９６】
両連結部材ガイド溝６８は、ガイド部材６４の左右方向内面から左右方向外側へ切り欠かれる凹溝であり、前下側と後上側とを結ぶ方向に延びる側面視略クランク形状に形成されている。両連結部材ガイド溝６８は、第１連結部材６２のガイドボス６６を受け入れ可能な溝幅に形成されている。また、両連結部材ガイド溝６８は、前後方向に投影したときに、その下端縁が各ＬＥＤガイド溝５７の下端縁と重なり、その上端縁が各ＬＥＤガイド溝５７の上端縁と重なるように配置されている（図３参照）。
【００９７】
そして、第１連結部材６２は、前側のガイドボス６６が、第２連結部材６３の連結穴６７を貫通して、ガイド部材６４の前側の連結部材ガイド溝６８に嵌合されるとともに、後側のガイドボス６６が、ガイド部材６４の後側の連結部材ガイド溝６８に嵌合されることにより、第２連結部材６３を介してフロントカバー７に連結されるとともに、ガイド部材６４に支持されている。
【００９８】
フロントカバー７が閉位置に配置されているときには、第１連結部材６２は、前後両ガイドボス６６が対応する連結部材ガイド溝６８の後上側端部に嵌合される第１位置（図３参照）に配置されている。このとき、第１連結部材６２は、各ＬＥＤガイド溝５７の上端部と左右方向に対向しており、各ＬＥＤガイド溝５７の上端部と、各挿通穴６５の前端部とは、左右方向に投影したときに互いに重なっている。
【００９９】
そして、フロントカバー７を閉位置から開位置へ移動させると、第１連結部材６２は、第２連結部材６３によって前下側へ引っ張られて、各ガイドボス６６において各連結部材ガイド溝６８に案内されながら前下側へスライドされる。
【０１００】
そして、フロントカバー７が開位置に配置されると、第１連結部材６２は、前後両ガイドボス６６が対応する連結部材ガイド溝６８の前下側端部に嵌合される第２位置（図４参照）に配置される。このとき、第１連結部材６２は、各ＬＥＤガイド溝５７の下端部と左右方向に対向しており、各ＬＥＤガイド溝５７の下端部と、各挿通穴６５の後端部とが、左右方向に投影したときに互いに重なっている。
【０１０１】
なお、フロントカバー７を開位置から閉位置へ移動させると、第１連結部材６２は、第２連結部材６３によって後上側へ押圧されて、各ガイドボス６６において各連結部材ガイド溝６８に案内されながら後上側へスライドされ、第２位置から第１位置へ移動される。
（２）フロントカバーと各ＬＥＤユニットとの連動
各ＬＥＤユニット１６は、支持軸１０６の左右方向端部が、内側ケーシング４２とガイド部材６４との間において、第１連結部材６２の挿通穴６５に挿通されることにより、連動機構６１に連結されている（図２参照）。
【０１０２】
そして、フロントカバー７が閉位置に配置され、第１連結部材６２が第１位置に配置されているときには、各ＬＥＤユニット１６の支持軸１０６が、第１連結部材６２によって、各ＬＥＤガイド溝５７の上端部に保持されており、各ＬＥＤユニット１６は、近接位置に保持されている（図３参照）。
【０１０３】
このとき、図５に示すように、各ＬＥＤユニット１６は、プロセスユニット１５の各ＬＥＤ挿入開口８３内に配置されている。
【０１０４】
そして、フロントカバー７を閉位置から開位置に移動させると、第１連結部材６２の第１位置から第２位置への移動に伴って、各ＬＥＤユニット１６が、自重により、下方に垂下するように右側面視時計回りに揺動される。
【０１０５】
そして、図４に示すように、フロントカバー７が開位置に配置されて、第１連結部材６２が第２位置に配置されると、各ＬＥＤユニット１６の支持軸１０６が、第１連結部材６２によって、各ＬＥＤガイド溝５７の下端部に保持され、各ＬＥＤユニット１６は、退避位置に配置される。
【０１０６】
このとき、各ＬＥＤユニット１６は、図６に示すように、プロセスユニット１５に干渉しないように、プロセスユニット１５の各ＬＥＤ挿入開口８３から下側へ引き抜かれている。
【０１０７】
なお、フロントカバー７を開位置から閉位置に移動させると、第１連結部材６２の第２位置から第１位置への移動に伴って、各ＬＥＤユニット１６が、重力に抗して支持ボス５６を支点として退避位置から近接位置に向かって右側面視反時計回りに揺動される。
７．プロセスカートリッジの本体ケーシングに対する着脱
プロセスカートリッジ１９を本体ケーシング２に対して着脱するには、まず、フロントカバー７を開放して、本体ケーシング２からプロセスユニット１５を引き出す。
【０１０８】
ここで、給紙トレイ８が本体ケーシング２に装着されているときには、給紙トレイ８の干渉部７１が、フロントカバー７の開口４３の上側周縁部に前方から対向されているため、ユーザーがフロントカバー７を閉位置から開位置へ移動させようとしても、フロントカバー７が干渉部７１に干渉し、その移動が規制される。
【０１０９】
そこで、図５に示すように、まず、給紙トレイ８を前方に向かって引き出し、給紙トレイ８を本体ケーシング２から離脱させる。すると、プロセスユニット１５の下方に、空間が形成される。
【０１１０】
次いで、本体ケーシング２からプロセスユニット１５を引き出すには、図６に示すように、フロントカバー７を閉位置から開位置へ移動させ、本体開口部６を開放する。
【０１１１】
すると、上記したように、フロントカバー７の移動に連動して、ＬＥＤユニット１６が、給紙トレイ８が本体ケーシング２から離脱されることによって形成される空間に退避されるように退避位置へ移動される。
【０１１２】
次いで、図７に示すように、本体ケーシング２から、本体開口部６を介して、プロセスユニット１５を前方に引き出す。
【０１１３】
すると、第１ガイド溝５２の後端部において、プロセスユニット１５の後側ころ８５が板ばね５３から外れるとともに、第２ガイド溝５４の後端部において、プロセスユニット１５の前側ころ８４が板ばね５５から外れて、プロセスユニット１５は、各感光ドラム２０が中間転写ベルト３０の下側部分から離間するように、下側へ移動される。
【０１１４】
その後、さらにプロセスユニット１５を前方に引き出すと、プロセスユニット１５は、第１ガイド溝５２および第２ガイド溝５４に案内されて、中間転写ベルト３０の下側部分とわずかに間隔を隔てながら、本体ケーシング２から引き出される。
【０１１５】
そして、引き出されたプロセスユニット１５に対してプロセスカートリッジ１９を着脱する。詳しくは、プロセスユニット１５に装着されているプロセスカートリッジ１９をプロセスユニット１５から離脱させるには、プロセスカートリッジ１９を上側に引き抜く。また、プロセスカートリッジ１９をプロセスユニット１５に装着するには、プロセスカートリッジ１９を、感光ドラム２０の回転軸９２の左右方向両端部がプロセスフレーム８１のカートリッジガイド溝８２の上側に配置されるように、プロセスフレーム８１の上側に位置決めし、上側からプロセスフレーム８１内に挿入する。
【０１１６】
なお、プロセスユニット１５を本体ケーシング２内に装着するには、上記した引き出し動作と逆に操作する。
【０１１７】
具体的には、プロセスユニット１５を、第１ガイド溝５２および第２ガイド溝５４に沿って本体ケーシング２内に挿入する。
【０１１８】
このとき、プロセスユニット１５は、第１ガイド溝５２および第２ガイド溝５４に案内されて、中間転写ベルト３０の下側部分とわずかに間隔を隔てながら挿入される。
【０１１９】
そして、第１ガイド溝５２の後端部において、プロセスユニット１５の後側ころ８５が板ばね５３に乗り上げるとともに、第２ガイド溝５４の後端部において、プロセスユニット１５の前側ころ８４が板ばね５５に乗り上げると、プロセスユニット１５は、各感光ドラム２０が中間転写ベルト３０の下側部分に接触するように、上側へ移動される。
【０１２０】
これにより、プロセスユニット１５は、板ばね５３および板ばね５５の付勢力により、常には、上側に向かって付勢されるように、本体ケーシング２に装着される。
【０１２１】
そして、フロントカバー７を開位置から閉位置へ移動させた後、フロントカバー７の開口４３を介して、給紙トレイ８を本体ケーシング２に装着する。
８．作用効果
（１）このカラープリンタ１によれば、図６に示すように、ＬＥＤユニット１６は、給紙トレイ８が本体ケーシング２から離脱されることにより形成される空間に、各感光ドラム２０を保持するプロセスユニット１５に干渉しないように退避される。
【０１２２】
そのため、別途、ＬＥＤユニット１６を退避させるためのスペースを用意することなく、給紙トレイ８が本体ケーシング２から離脱されることにより形成される空間を利用して、ＬＥＤユニット１６を各感光ドラム２０から退避させることができる。
【０１２３】
その結果、カラープリンタ１を小型化することができ、ひいては、カラープリンタ１を載置するためのスペースの省スペース化を図ることができる。
（２）また、このカラープリンタ１によれば、図３および図４に示すように、本体ケーシング２は、フロントカバー７の閉位置から開位置への移動に連動して、各ＬＥＤユニット１６を近接位置から退避位置へ移動させ、フロントカバー７の開位置から閉位置への移動に連動して、各ＬＥＤユニット１６を退避位置から近接位置へ移動させる連動機構６１を備えている。
【０１２４】
そのため、フロントカバー７を開位置へ移動させることにより、確実に、各ＬＥＤユニット１６を各感光ドラム２０から退避させることができる。
【０１２５】
その結果、プロセスユニット１５を本体ケーシング２に対して移動させるときに、各ＬＥＤユニット１６がプロセスユニット１５と干渉することを、確実に、防止することができる。
【０１２６】
また、フロントカバー７を閉位置へ移動させることにより、各ＬＥＤユニット１６を、確実に、近接位置に移動させることができる。
（３）また、このカラープリンタ１によれば、図１に示すように、給紙トレイ８は、本体ケーシング２に装着されているときに、フロントカバー７と干渉して、フロントカバー７の開位置への移動を規制する。
【０１２７】
そのため、給紙トレイ８が装着された状態で、各ＬＥＤユニット１６が退避位置へ移動されることを防止することができる。
【０１２８】
その結果、各ＬＥＤユニット１６と給紙トレイ８とが干渉されることを防止することができる。
（４）また、このカラープリンタ１によれば、図１に示すように、プロセスユニット１５が装着位置に配置されている状態において、前後方向に投影したときに、ピックアップローラ１０は、プロセスユニット１５と重なるように配置されている。
【０１２９】
具体的には、給紙トレイ８の上側に配置されるピックアップローラ１０が、プロセスユニット１５の後側に配置されている。
【０１３０】
そのため、プロセスユニット１５と給紙トレイ８とを上下方向に近接させることができ、カラープリンタ１を薄型化（上下方向に小型化）することができる。
９．第２実施形態
図８〜図１２を参照して、本発明の第２実施形態について説明する。なお、第２実施形態において、第１実施形態と同様の部材には同様の符号を付し、その説明を省略する。
【０１３１】
上記した第１実施形態では、プロセスユニット１５に、各感光ドラム２０、各スコロトロン型帯電器２１および各現像ユニット２２を保持し、各ＬＥＤユニット１６を、給紙トレイ８が本体ケーシング２から離脱されることによって形成される空間に退避させることにより、退避位置に退避させている。
【０１３２】
対して、第２実施形態では、図８に示すように、プロセスユニット１５を、各感光ドラム２０および各スコロトロン型帯電器２１を保持する第１保持部材の一例としてのドラムドロワ１２１と、各現像ユニット２２および各ＬＥＤユニット１２７を保持する第２保持部材の一例としての現像ドロワ１２２とに、分割するように構成する。
【０１３３】
そして、図１１に示すように、現像ドロワ１２２を、給紙トレイ８が本体ケーシング２から離脱されることによって形成される空間に退避させることにより、退避位置に退避させる。
（１）プロセスユニット
（１−１）ドラムドロワ
ドラムドロワ１２１は、図８に示すように、上下に開放された略矩形枠形状のドラムドロワフレーム１２５を有し、そのドラムドロワフレーム１２５に、各感光ドラム２０と各スコロトロン型帯電器２１とを一体的に保持している。
【０１３４】
各感光ドラム２０は、前後方向に互いに間隔を隔てて並列配置されている。具体的には、前側から後側に向かって、ブラック感光ドラム２０Ｋ、イエロー感光ドラム２０Ｙ、マゼンタ感光ドラム２０Ｍおよびシアン感光ドラム２０Ｃが、順次配置されている。
【０１３５】
各スコロトロン型帯電器２１は、第１実施形態と同様に、対応する感光ドラム２０の後下側に、感光ドラム２０と間隔を隔てて対向配置されている。
【０１３６】
また、ドラムドロワ１２１は、ブラック感光ドラム２０Ｋの前側において、ベルトクリーニングローラ９５を備えている。
【０１３７】
ベルトクリーニングローラ９５は、中間転写ベルト３０の下側部分に下側から接触されるように、ドラムドロワフレーム１２５に回転可能に支持されている。
【０１３８】
また、ドラムドロワ１２１は、ドラムドロワフレーム１２５の左右両側壁の前端部外側に回転可能に設けられる前側ころ８４と、ドラムドロワフレーム１２５の左右両側壁の後端部外側に回転可能に設けられる後側ころ８５とを備えている。
（１−２）現像ドロワ
現像ドロワ１２２は、有底略矩形枠形状の現像ドロワフレーム１２６を有し、その現像ドロワフレーム１２６に、各現像ユニット２２および各ＬＥＤユニット１２７を一体的に保持している。
【０１３９】
また、現像ドロワ１２２は、内側ケーシング４２の現像ドロワ支持部１２４（後述）内において、感光ドラム２０から下側に退避する退避位置（図１１参照）と、各現像ローラ２３を各感光ドラム２０に下側から接触させるように、感光ドラム２０に近接する近接位置（図８参照）とに移動可能に支持されている。
【０１４０】
各現像ユニット２２は、第１実施形態と同様に、対応する感光ドラム２０の前下側に配置されるように、前後方向に互いに間隔を隔てて並列配置されている。具体的には、前側から後側に向かって、ブラック現像ユニット２２Ｋ、イエロー現像ユニット２２Ｙ、マゼンタ現像ユニット２２Ｍおよびシアン現像ユニット２２Ｃが、順次配置されている。また、各現像ユニット２２は、現像ドロワフレーム１２６の図示しないガイド溝にガイドされ、現像ドロワフレーム１２６に対して上下方向に着脱可能に設けられている（図１２参照）。
【０１４１】
また、ブラック現像ユニット２２Ｋには、その前側において、廃トナー収容部９４、掻き取りローラ９６および掻き取りブレード９８が一体的に設けられている。
【０１４２】
廃トナー収容部９４は、上端部に開口９７を有する略ボックス形状に形成されている。
【０１４３】
掻き取りローラ９６は、廃トナー収容部９４の開口９７の上側において、開口９７に対向配置されている。また、掻き取りローラ９６は、ドラムドロワ１２１のベルトクリーニングローラ９５に下側から接触されている。
【０１４４】
掻き取りブレード９８は、前後方向に延びる略平板形状に形成され、その後端部（遊端部）が掻き取りローラ９６に下側から接触されるように、その前端部（基端部）が、開口９７の前側周縁部において、廃トナー収容部９４に固定されている。
【０１４５】
これにより、廃トナー収容部９４、掻き取りローラ９６および掻き取りブレード９８は、ベルトクリーニングローラ９５とともにクリーニングユニットの一例としてのベルトクリーニングユニット９３を構成している。
【０１４６】
そして、ベルトクリーニングユニット９３は、中間転写ベルト３０の表面に残存したトナーなどを、ベルトクリーニングローラ９５によってクリーニングする。ベルトクリーニングローラ９５に保持されたトナーは、一旦掻き取りローラ９６に保持された後、掻き取りブレード９８で掻き取られることにより、廃トナー収容部９４内に収容される。
【０１４７】
各ＬＥＤユニット１２７は、支持アーム１０１を有さず、支持軸１０６の代わりに略角柱形状の支持ビーム１２８を備える以外は、第１実施形態のＬＥＤユニット１６と同様に構成されており、対応する現像ユニット２２の後側において、現像ドロワ１２２の現像ドロワフレーム１２６に固定されている。
【０１４８】
つまり、各ＬＥＤユニット１２７は、ＬＥＤアレイ１０２と、ＬＥＤアレイ支持部材１０４とを備え、各ＬＥＤユニット１２７は、ＬＥＤアレイ支持部材１０４の支持ビーム１２８の左右両端部において、ＬＥＤアレイ１０２が上側に向かって露光するように、現像ドロワ１２２の現像ドロワフレーム１２６に固定されている。
【０１４９】
また、現像ドロワ１２２は、現像ドロワフレーム１２６の左右両側壁の前端部外側に回転可能に設けられる前側ころ８４１と、現像ドロワフレーム１２６の左右両側壁の後端部外側に回転可能に設けられる後側ころ８５１とを備えている。
（２）本体ケーシング
図９に示すように、本体ケーシング２の内側ケーシング４２には、ベルト収容部４４の下側において、ドラムドロワ１２１を支持するドラムドロワ支持部１２３、現像ドロワ１２２を支持する現像ドロワ支持部１２４が設けられている。
（２−１）ドラムドロワ支持部
ドラムドロワ支持部１２３は、第１実施形態のプロセス支持部４５と同様に形成されている。
【０１５０】
つまり、ドラムドロワ支持部１２３は、内側ケーシング４２の上下方向略中央において、ベルト収容部４４の下側に連続して設けられている。また、ドラムドロワ支持部１２３には、その左右両側壁にそれぞれ、ドラムドロワ１２１の後端部（後側ころ８５）を案内する第１ガイド溝５２と、ドラムドロワ１２１の前端部（前側ころ８４）を案内する第２ガイド溝５４とが形成されている。
（２−２）現像ドロワ支持部
現像ドロワ支持部１２４は、内側ケーシング４２の下端部において、ドラムドロワ支持部１２３の下側に連続して設けられている。現像ドロワ支持部１２４内には、フロントカバー７と現像ドロワ１２２とを連動させる左右１対の連動機構１３１が設けられている。また、現像ドロワ支持部１２４には、その左右両側壁にそれぞれ、連動機構１３１の支持部材１３２を案内する前後１対の支持部材ガイド溝１３４が形成されている。
【０１５１】
各連動機構１３１は、現像ドロワ１２２を前後方向にスライド可能に支持する支持部材１３２と、支持部材１３２とフロントカバー７とを連結する連結部材１３３とを備えている。
【０１５２】
支持部材１３２は、前後方向に延び、現像ドロワ１２２の前後方向長さよりも長い前後方向長さを有する略平板形状に形成されている。支持部材１３２には、現像ドロワ１２２の前側ころ８４１および後側ころ８５１を案内する第３ガイド溝１３０と、支持部材ガイド溝１３４に嵌合される前後１対のガイドボス１３５とが形成されている。
【０１５３】
第３ガイド溝１３０は、前側ころ８４１および後側ころ８５１を受け入れ可能な溝幅（上下方向長さ）で、支持部材１３２の前後方向ほぼ全幅にわたって、前後方向に延びる略直線形状に形成されている。
【０１５４】
両ガイドボス１３５は、支持部材１３２の左右方向外面から左右方向外側へ延びる略円柱形状に形成されており、支持部材１３２の前端部と後端部とに１つずつ設けられている。
【０１５５】
連結部材１３３は、第１実施形態の第２連結部材６３と同様に構成されている。つまり、連結部材１３３は、前後方向に延びる略杆形状に形成され、前端部において、フロントカバー７に揺動可能に連結されている。また、連結部材１３３の後端部には、支持部材１３２の前側のガイドボス１３５に連結される連結穴６７が形成されている。
【０１５６】
両支持部材ガイド溝１３４は、現像ドロワ支持部１２４の左右方向内面から左右方向外側へ切り欠かれる凹溝であり、前下側と後上側とを結ぶ方向に延びる側面視略クランク形状に形成されている。両支持部材ガイド溝１３４は、支持部材１３２の両ガイドボス１３５を受け入れ可能な溝幅に形成されている。
【０１５７】
また、両支持部材ガイド溝１３４は、現像ドロワ１２２のドラムドロワフレーム１２５から上側に突出する現像ユニット２２の突出長さより長い上下方向長さに形成されている。また、左右方向に投影したときに、両支持部材ガイド溝１３４の下端縁は、給紙トレイ８の直上（上側近傍）に配置され（図８参照）、両支持部材ガイド溝１３４の上端縁は、ドラムドロワ１２１の下側に配置されている（図１２参照）。また、後側の支持部材ガイド溝１３４の上端部は、左右方向に投影したときに、ピックアップローラ１０と重なっている。
【０１５８】
そして、支持部材１３２は、前側のガイドボス１３５が、連結部材１３３の連結穴６７を貫通して、前側の支持部材ガイド溝１３４に嵌合されるとともに、後側のガイドボス６６が、後側の支持部材ガイド溝１３４に嵌合されることにより、連結部材１３３を介してフロントカバー７に連結されるとともに、現像ドロワ支持部１２４の側壁に支持されている。
【０１５９】
フロントカバー７が閉位置に配置されているときには、支持部材１３２は、前後両ガイドボス１３５が対応する支持部材ガイド溝１３４の後上側端部に嵌合される第１位置（図９参照）に配置されている。
【０１６０】
そして、フロントカバー７を閉位置から開位置へ移動させると、支持部材１３２は、連結部材１３３によって前下側へ引っ張られて、各ガイドボス１３５において各支持部材ガイド溝１３４に案内されながら前下側へスライドされる。
【０１６１】
そして、フロントカバー７が開位置に配置されると、支持部材１３２は、前後両ガイドボス１３５が対応する支持部材ガイド溝１３４の前下側端部に嵌合される第２位置（図１０参照）に配置される。
【０１６２】
なお、フロントカバー７を開位置から閉位置へ移動させると、支持部材１３２は、連結部材１３３によって後上側へ押圧されて、各ガイドボス１３５において各支持部材ガイド溝１３４に案内されながら後上側へスライドされ、第２位置から第１位置へ移動される。
（３）フロントカバーと現像ドロワとの連動
現像ドロワ１２２は、図１１および図１２に示すように、その前側ころ８４１および後側ころ８５１が支持部材１３２の第３ガイド溝１３０に回転可能に内嵌されることにより、支持部材１３２に前後方向にスライド可能に支持されている。
【０１６３】
そして、図８および図９に示すように、フロントカバー７が閉位置に配置され、支持部材１３２が第１位置に配置されているときには、現像ドロワ１２２は、近接位置に保持されている。
【０１６４】
このとき、各現像ローラ２３は、対応する感光ドラム２０に前下側から接触されている。また、各ＬＥＤユニット１２７は、そのＬＥＤ位置決め部材１０５において、対応する感光ドラム２０に前下側から当接されている。これにより、各ＬＥＤユニット１２７のＬＥＤアレイ１０２は、感光ドラム２０に対して、所定の間隔を隔てて露光可能に対向配置されている。
【０１６５】
そして、図１０および図１１に示すように、フロントカバー７を閉位置から開位置に移動させると、支持部材１３２が第１位置から第２位置へ移動され、現像ドロワ１２２が退避位置に配置される。
【０１６６】
このとき、各現像ユニット２２および各ＬＥＤユニット１２７は、ドラムドロワ１２１に干渉しないように、ドラムドロワ１２１から下側へ引き抜かれている（図１１参照）。
【０１６７】
なお、フロントカバー７を開位置から閉位置に移動させると、支持部材１３２が第２位置から第１位置へ移動され、現像ドロワ１２２が近接位置へ配置される。このとき、現像ドロワ１２２の後端部は、ピックアップローラ１０の前側に設けられるストッパ１２０に当接され、位置決めされる（図８参照）。
（４）ドラムドロワおよび現像ユニットの着脱
ドラムドロワ１２１および現像ユニット２２を本体ケーシング２に対して着脱するには、まず、給紙トレイ８を、前方に向かって引き出して本体ケーシング２から離脱させた後、フロントカバー７を閉位置から開位置へ移動させて、本体開口部６を開放する。
【０１６８】
すると、上記したように、フロントカバー７の移動に連動して、現像ドロワ１２２が、給紙トレイ８が本体ケーシング２から離脱されることによって形成される空間に退避されるように、退避位置へ移動される。
【０１６９】
次いで、ドラムドロワ１２１を本体ケーシング２から離脱させるには、図１３に示すように、本体ケーシング２から、本体開口部６を介して、ドラムドロワ１２１を前方に引き出す。
【０１７０】
すると、第１ガイド溝５２の後端部において、ドラムドロワ１２１の後側ころ８５が板ばね５３から外れるとともに、第２ガイド溝５４の後端部において、ドラムドロワ１２１の前側ころ８４が板ばね５５から外れて、ドラムドロワ１２１は、各感光ドラム２０が中間転写ベルト３０の下側部分から離間するように、下側へ移動される。
【０１７１】
その後、さらにドラムドロワ１２１を前方に引き出すと、ドラムドロワ１２１は、第１ガイド溝５２および第２ガイド溝５４に案内されて、中間転写ベルト３０の下側部分とわずかに間隔を隔てながら、引き出され、本体ケーシング２から離脱される。
【０１７２】
また、現像ユニット２２を本体ケーシング２に対して着脱するには、図１２に示すように、本体ケーシング２から、本体開口部６を介して、現像ドロワ１２２を前方に引き出す。
【０１７３】
そして、引き出された現像ドロワ１２２に対して各現像ユニット２２を着脱する。詳しくは、現像ユニット２２を現像ドロワ１２２から離脱させるには、現像ユニット２２を上側に引き抜く。また、現像ユニット２２を現像ドロワ１２２に装着するには、現像ユニット２２を、所定の位置に位置決めし、上側から現像ドロワ１２２の現像ドロワフレーム１２６内に挿入する。
【０１７４】
なお、ドラムドロワ１２１および現像ドロワ１２２を本体ケーシング２内に装着するには、上記した引き出し動作と逆に操作する。
【０１７５】
具体的には、ドラムドロワ１２１を本体ケーシング２内に装着するには、ドラムドロワ１２１を、第１ガイド溝５２および第２ガイド溝５４に沿って本体ケーシング２内に挿入する。
【０１７６】
このとき、ドラムドロワ１２１は、第１ガイド溝５２および第２ガイド溝５４に案内されて、中間転写ベルト３０の下側部分とわずかに間隔を隔てながら挿入される。
【０１７７】
そして、第１ガイド溝５２の後端部において、ドラムドロワ１２１の後側ころ８５が板ばね５３に乗り上げるとともに、第２ガイド溝５４の後端部において、ドラムドロワ１２１の前側ころ８４が板ばね５５に乗り上げると、ドラムドロワ１２１は、各感光ドラム２０が中間転写ベルト３０の下側部分に接触するように、上側へ移動される。
【０１７８】
これにより、ドラムドロワ１２１は、板ばね５３および板ばね５５の付勢力により、常には、上側に向かって付勢されるように、本体ケーシング２に装着される。
【０１７９】
また、現像ドロワ１２２を本体ケーシング２内に装着するには、まず、現像ドロワ１２２を、両支持部材１３２の第３ガイド溝１３０に沿って本体ケーシング２内に挿入し、その後、フロントカバー７を開位置から閉位置へ移動させて、上記したように、現像ドロワ１２２を近接位置へ移動させる。
【０１８０】
そして、フロントカバー７を閉位置へ配置した後、フロントカバー７の開口４３を介して、給紙トレイ８を本体ケーシング２に装着する。
（５）第２実施形態の作用効果
第２実施形態のカラープリンタ１においても、第１実施形態と同様の作用効果を得ることができる。
【０１８１】
また、第２実施形態のカラープリンタ１によれば、図８に示すように、各現像ユニット２２および各ＬＥＤユニット１２７を保持し、感光ドラム２０に近接される近接位置と、感光ドラム２０から退避される退避位置とに移動可能な現像ドロワ１２２を備えている。
【０１８２】
そのため、交換頻度の高い各現像ユニット２２を、感光ドラム２０と別に交換することができ、効率よく、各現像ユニット２２の交換作業を実施することができる。
【０１８３】
また、第２実施形態のカラープリンタ１によれば、図８に示すように、中間転写ベルト３０に対して感光ドラム２０と同じ方向（下側）から対向され、中間転写ベルト３０をクリーニングするベルトクリーニングユニット９３を備えている。
【０１８４】
そのため、ベルトクリーニングユニット９３を、中間転写ベルト３０に対して感光ドラム２０と反対の方向（上側）から対向するように、配置した場合と比べて、上下方向（中間転写ベルト３０と各感光ドラム２０との対向方向）に、カラープリンタ１を小型化することができる。
【０１８５】
また、第２実施形態のカラープリンタ１によれば、図８に示すように、現像ドロワ１２２に廃トナーを収容する廃トナー収容部９４が設けられている。
【０１８６】
そのため、交換頻度の高い現像ドロワ１２２とともに、効率よく、廃トナー収容部９４を交換することができる。
【符号の説明】
【０１８７】
１      カラープリンタ
２      本体ケーシング
６      本体開口部
７      フロントカバー
８      給紙トレイ
１０    ピックアップローラ
１５    プロセスユニット
１６    ＬＥＤユニット
２０    感光ドラム
３０    中間転写ベルト
６１    連動機構
９３    ベルトクリーニングユニット
９４    廃トナー収容部
１２１  ドラムドロワ
１２２  現像ドロワ
１２７  ＬＥＤユニット
１３１  連動機構
【図１】
0005206817.tif 000002
【図２】
0005206817.tif 000003
【図３】
0005206817.tif 000004
【図４】
0005206817.tif 000005
【図５】
0005206817.tif 000006
【図６】
0005206817.tif 000007
【図７】
0005206817.tif 000008
【図８】
0005206817.tif 000009
【図９】
0005206817.tif 000010
【図１０】
0005206817.tif 000011
【図１１】
0005206817.tif 000012
【図１２】
0005206817.tif 000013
【図１３】
0005206817.tif 000014